(57)【要約】      （修正有）【課題】本発明は、両面受光型太陽電池モジュールを提供する。【解決手段】複数の導電性配線によって第１方向に長く接続され、それぞれのセルストリングを形成する複数の太陽電池と複数の太陽電池から発生した電力を収集して外部に供給するジャンクションボックス（junction box）６００と、一端が各セルストリングの最後の太陽電池に接続された複数の導電性配線３００に接続され、他端がジャンクションボックスに接続される複数の導線とジャンクションボックスと複数の導線４１０，４２０，４３０，４４０は、複数の太陽電池の投影領域外に位置し、複数の導線は、投影領域の外側で第１方向と交差する第２方向に長く伸びた第２方向部分を含み、複数の導線の内、少なくとも一つの導線に備えられた第２方向部分は、ジャンクションボックスと重畳された両面受光型太陽電池モジュールにより達成される。【選択図】図１
2018160662.tif 000002
【特許請求の範囲】
【請求項１】
両面受光型太陽電池モジュールであって、
複数の導電性配線によって第１方向に長く接続され、各々のセルストリングを形成した複数の太陽電池と、
前記複数の太陽電池から発生した電力を収集して外部に供給するジャンクションボックス（junction box）と、
一端が前記各々のセルストリングの最後の太陽電池に接続された前記複数の導電性配線に接続され、他端がジャンクションボックスに接続される複数の導線（conducting wire）と、
前記ジャンクションボックスと前記複数の導線は、前記複数の太陽電池の投影領域外に位置してなり、
前記複数の導線は、前記投影領域の外側で前記第１方向と交差する第２方向に長く伸びた第２方向部分を備えてなり、
前記複数の導線の内、少なくとも一つの導線に備えられた前記第２方向部分は、前記ジャンクションボックスと重畳されてなるものである、両面受光型太陽電池モジュール。
【請求項２】
前記複数の導電性配線は、前記第１方向に長く伸びたものであり、
前記各々のセルストリングの最後の太陽電池に接続された前記複数の導電性配線は、前記複数の導線に含まれた前記第２方向部分に接続されたものである、請求項１に記載の両面受光型太陽電池モジュール。
【請求項３】
前記複数の導線は、前記各々のセルストリングの内、最外郭に位置した最外郭のセルストリングの最後の太陽電池に接続された導電性配線に接続される外側導線と、
前記最外郭のセルストリングの内側に位置する内側セルストリングの最後の太陽電池に接続された導電性配線に接続される内側導線とを備えてなるものである、請求項１又は２に記載の両面受光型太陽電池モジュール。
【請求項４】
前記外側導線と前記内側導線のそれぞれは、前記第２方向部分を備えてなり、
前記外側導線の第２方向部分と、前記最外郭のセルストリングの最後の太陽電池との間の第１間隔は、前記内側導線の第２方向部分と、前記内側セルストリングの最後の太陽電池との間の第２間隔より大きいものである、請求項３に記載の両面受光型太陽電池モジュール。
【請求項５】
前記第１間隔と前記第２間隔の間の差は、前記内側導線の線幅より大きく、前記内側導線の線幅の２倍より小さいものである、請求項４に記載の両面受光型太陽電池モジュール。
【請求項６】
前記最外郭のセルストリングの最後の太陽電池に接続された導電性配線の最外郭突出長さは、前記内側セルストリングの最後の太陽電池に接続された導電性配線の内側突出長さより長いものである、請求項４又は５に記載の両面受光型太陽電池モジュール。
【請求項７】
前記最外郭突出長さは、前記内側突出長さの１．５倍より大きく、前記内側突出長さの３倍より小さいものである、請求項６に記載の両面受光型太陽電池モジュール。
【請求項８】
前記複数の導線のそれぞれの線幅は、前記導電性配線のそれぞれの線幅より大きいものである、請求項１〜７の何れか一項に記載の両面受光型太陽電池モジュール。
【請求項９】
前記導電性配線のそれぞれの線幅に対する前記複数の導線のそれぞれの線幅の比率は１：１５〜２５の間である、請求項１〜８の何れか一項に記載の両面受光型太陽電池モジュール。
【請求項１０】
前記複数の導線のそれぞれは、前記第２方向部分の先端から前記第２方向部分と交差する前記第１方向に延びる第１方向の部分をさらに備えてなり、
前記第１方向部分対前記第２方向部分の割合は、１：６〜１５の間である、請求項１〜９の何れか一項に記載の両面受光型太陽電池モジュール。
【請求項１１】
前記太陽電池モジュールは、
前記複数の太陽電池の前面に位置する前面透明部材と、
前記複数の太陽電池の後面に位置する後面部材と、
前記複数の太陽電池と前記前面透明部材との間、及び前記複数の太陽電池と、前記後面部材の間に位置するシール材と、
前記前面透明部材、前記シール材及び前記後面部材の外郭を包み込むフレームとをさらに備えてなり、
前記後面部材は、透明である、請求項１〜１０の何れか一項に記載の両面受光型太陽電池モジュール。
【請求項１２】
前記ジャンクションボックスは、前記太陽電池モジュールの後面の外部上側部に位置し、
前記太陽電池モジュールを前面から見たとき、前記太陽電池モジュールの上側部に位置する前記フレームから前記ジャンクションボックスまでの距離は、前記太陽電池モジュールの下側部に位置する前記フレームから前記各セルストリングの最後の太陽電池までの距離より大きいものである、請求項１１に記載の両面受光型太陽電池モジュール。
【請求項１３】
前記フレームは、前記前面透明部材の前面エッジ部分を覆う第１部分と、
前記第１部分の先端から延長されて前記前面透明部材、前記シール材及び前記後面部材の側面を覆う第２部分と、
前記第２部分から延長され、前記後面部材の後面エッジ部分を覆う第３部分とを備えてなる、請求項１１又は１２に記載の両面受光型太陽電池モジュール。
【請求項１４】
前記複数の導線のそれぞれに含まれた前記第１方向の部分は、前記後面部材を突き抜け、前記ジャンクションボックスに備えられた端子に接続されてなる、請求項１１〜１３の何れか一項に記載の両面受光型太陽電池モジュール。
【請求項１５】
前記前面透明部材はガラス材質を備えてなり、
前記後面部材は、ガラス材質より軽い樹脂材質から構成されてなるものである、請求項１１〜１４の何れか一項に記載の両面受光型太陽電池モジュール。
【発明の詳細な説明】
【技術分野】
【０００１】
本発明は、両面受光型太陽電池モジュールに関する。本研究は、産業通商資源部（ＭＯＴＩＥ）と韓国エネルギー技術評価院（ＫＥＴＥＰ）の支援を受けて行われた研究課題（Ｎｏ.２０１６３０１００１２４３０）です。
〔関連出願〕
本願は、韓国特許出願第１０−２０１７−００３６８４７に基づくパリ条約の優先権を伴った特許出願であり、本発明はこの韓国特許出願の明細書、図面等に記載された思想と同様のものである。本願明細書にあっては、当該韓国特許出願に開示された発明思想をすべて包含するものである。
【背景技術】
【０００２】
最近石油や石炭のような既存エネルギー資源の枯渇が予測されながらこれらを取り替える代替エネルギーに対する関心が高くなり。これにより、太陽エネルギーから電気エネルギーを生産する太陽電池が注目されている。
【０００３】
一般的な太陽電池は、ｐ型とｎ型のように、互いに異なる導電型（conductive type）によってｐ−ｎ接合を形成する半導線部、そして互いに異なる導電型の半導線部にそれぞれ接続された電極を備える。
【０００４】
このような太陽電池に光が入射されれば半導線部で複数の電子―正孔対が生成され、生成された電子―正孔対は電荷である電子と正孔にそれぞれ分離され、電子はｎ型の半導線部の方向に移動し正孔はｐ型の半導線部の方向に移動する。移動した電子と正孔はそれぞれｎ型の半導線部とｐ型の半導線部に接続された互いに異なる電極によって収集され、この電極を電線で接続することにより電力を得る。
【０００５】
このような太陽電池は、複数個がインターコネクタによって互に接続されてセルストリングを形成することができ、セルストリングの端には、セルストリングと、太陽電池モジュールの外部に位置するジョンソンボックス（junction box）を互に接続する導線が接続される。
【０００６】
一方、従来の太陽電池モジュールの内、特に両面受光型太陽電池モジュールは、光をモジュールの前面だけでなく、後面に受光するため、モジュール内部の前後面で太陽電池が受光する領域を隠さないために導線とジャンクションボックスを太陽電池の位置と重畳しない領域に位置させた。
【０００７】
しかしながら、このような場合、発電と無関の太陽電池モジュールの面積が相対的に大きくなり、モジュールの効率が相対的に減少し、モジュールの面積が広がるにより、モジュールの重量が増加する問題点があった。
【発明の概要】
【発明が解決しようとする課題】
【０００８】
本発明の目的は、発電とは無関係な面積の増加を最小化した両面受光型太陽電池モジュールを提供することにある。
【課題を解決するための手段】
【０００９】
本発明の一の態様は以下の通りである。
〔１〕  両面受光型太陽電池モジュールであって、
複数の導電性配線によって第１方向に長く接続され、各々のセルストリングを形成した複数の太陽電池と、
前記複数の太陽電池から発生した電力を収集して外部に供給するジャンクションボックス（junction box）と、
一端が前記各々のセルストリングの最後の太陽電池に接続された前記複数の導電性配線に接続され、他端がジャンクションボックスに接続される複数の導線（conducting wire）と、
前記ジャンクションボックスと前記複数の導線は、前記複数の太陽電池の投影領域外に位置してなり、
前記複数の導線は、前記投影領域の外側で前記第１方向と交差する第２方向に長く伸びた第２方向部分を備えてなり、
前記複数の導線の内、少なくとも一つの導線に備えられた前記第２方向部分は、前記ジャンクションボックスと重畳されてなるものである、両面受光型太陽電池モジュール。
〔２〕  前記複数の導電性配線は、前記第１方向に長く伸びたものであり、
前記各々のセルストリングの最後の太陽電池に接続された前記複数の導電性配線は、前記複数の導線に含まれた前記第２方向部分に接続されたものである、〔１〕に記載の両面受光型太陽電池モジュール。
〔３〕  前記複数の導線は、前記各々のセルストリングの内、最外郭に位置した最外郭のセルストリングの最後の太陽電池に接続された導電性配線に接続される外側導線と、
前記最外郭のセルストリングの内側に位置する内側セルストリングの最後の太陽電池に接続された導電性配線に接続される内側導線とを備えてなるものである、〔１〕又は〔２〕に記載の両面受光型太陽電池モジュール。
〔４〕  前記外側導線と前記内側導線のそれぞれは、前記第２方向部分を備えてなり、
前記外側導線の第２方向部分と、前記最外郭のセルストリングの最後の太陽電池との間の第１間隔は、前記内側導線の第２方向部分と、前記内側セルストリングの最後の太陽電池との間の第２間隔より大きいものである、〔３〕に記載の両面受光型太陽電池モジュール。
〔５〕  前記第１間隔と前記第２間隔の間の差は、前記内側導線の線幅より大きく、前記内側導線の線幅の２倍より小さいものである、〔４〕に記載の両面受光型太陽電池モジュール。
〔６〕  前記最外郭のセルストリングの最後の太陽電池に接続された導電性配線の最外郭突出長さは、前記内側セルストリングの最後の太陽電池に接続された導電性配線の内側突出長さより長いものである、〔４〕又は〔５〕に記載の両面受光型太陽電池モジュール。
〔７〕  前記最外郭突出長さは、前記内側突出長さの１．５倍より大きく、前記内側突出長さの３倍より小さいものである、〔６〕に記載の両面受光型太陽電池モジュール。
〔８〕  前記複数の導線のそれぞれの線幅は、前記導電性配線のそれぞれの線幅より大きいものである、〔１〕〜〔７〕の何れか一項に記載の両面受光型太陽電池モジュール。
〔９〕  前記導電性配線のそれぞれの線幅に対する前記複数の導線のそれぞれの線幅の比率は１：１５〜２５の間である、〔１〕〜〔８〕の何れか一項に記載の両面受光型太陽電池モジュール。
〔１０〕  前記複数の導線のそれぞれは、前記第２方向部分の先端から前記第２方向部分と交差する前記第１方向に延びる第１方向の部分をさらに備えてなり、
前記第１方向部分対前記第２方向部分の割合は、１：６〜１５の間である、〔１〕〜〔９〕の何れか一項に記載の両面受光型太陽電池モジュール。
〔１１〕  前記太陽電池モジュールは、
前記複数の太陽電池の前面に位置する前面透明部材と、
前記複数の太陽電池の後面に位置する後面部材と、
前記複数の太陽電池と前記前面透明部材との間、及び前記複数の太陽電池と、前記後面部材の間に位置するシール材と、
前記前面透明部材、前記シール材及び前記後面部材の外郭を包み込むフレームとをさらに備えてなり、
前記後面部材は、透明である、〔１〕〜〔１０〕の何れか一項に記載の両面受光型太陽電池モジュール。
〔１２〕  前記ジャンクションボックスは、前記太陽電池モジュールの後面の外部上側部に位置し、
前記太陽電池モジュールを前面から見たとき、前記太陽電池モジュールの上側部に位置する前記フレームから前記ジャンクションボックスまでの距離は、前記太陽電池モジュールの下側部に位置する前記フレームから前記各セルストリングの最後の太陽電池までの距離より大きいものである、〔１１〕に記載の両面受光型太陽電池モジュール。
〔１３〕  前記フレームは、前記前面透明部材の前面エッジ部分を覆う第１部分と、
前記第１部分の先端から延長されて前記前面透明部材、前記シール材及び前記後面部材の側面を覆う第２部分と、
前記第２部分から延長され、前記後面部材の後面エッジ部分を覆う第３部分とを備えてなる、〔１１〕又は〔１２〕に記載の両面受光型太陽電池モジュール。
〔１４〕  前記複数の導線のそれぞれに含まれた前記第１方向の部分は、前記後面部材を突き抜け、前記ジャンクションボックスに備えられた端子に接続されてなる、〔１１〕〜〔１３〕の何れか一項に記載の両面受光型太陽電池モジュール。
〔１５〕  前記前面透明部材はガラス材質を備えてなり、
前記後面部材は、ガラス材質より軽い樹脂材質から構成されてなるものである、〔１１〕〜〔１４〕の何れか一項に記載の両面受光型太陽電池モジュール。
【００１０】
本発明の一例に係る両面受光型太陽電池モジュールは、複数の導電性配線によって第１方向に長く接続され、それぞれのセルストリングを形成する複数の太陽電池と複数の太陽電池から発生した電力を収集して外部に供給するジャンクションボックスと、一端が各セルストリングの最後の太陽電池に接続された複数の導電性配線に接続され、他端がジャンクションボックスに接続される複数の導線とジャンクションボックスと複数の導線は、複数の太陽電池の投影領域外に位置し、複数の導線は、投影領域の外側で第１方向と交差する第２方向に長く伸びた第２方向部分を含み、複数の導線の少なくとも一つの導線に備えられた第２方向部分は、ジャンクションボックスと、重畳される。
ここで、複数の導電性配線は、第１方向に長く伸びており、各セルストリングの最後の太陽電池に接続された複数の導電性配線は、複数の導線に含まれた第２方向部分に接続することができる。
【００１１】
このような複数の導線は、各セルストリングの内、最外郭に位置した最外郭のセルストリングの最後の太陽電池に接続された導電性配線に接続される外側導線と最外郭のセルストリングの内側に位置する内側セルストリングの最後の太陽電池に接続された導電性配線に接続される内側導線を含むことができる。
【００１２】
ここで、外側導線と内側導線の各々は、第２方向部分を含み、外側導線の第２方向部分と最外郭のセルストリングの最後の太陽電池との間の第１間隔は内側導線の第２方向部分と内側のセルストリングの最後の太陽電池との間の第２間隔より大きいことができる。
【００１３】
具体的に、第１間隔と第２間隔との間の差は、内側導線の線幅より大きく、内側導線の線幅の２倍より小さいことができる。
【００１４】
このため、最外郭のセルストリングの最後の太陽電池に接続された導電性配線の最外郭突出長さは、内側のセルストリングの最後の太陽電池に接続された導電性配線の内側突出長さより長いことがある。
【００１５】
一例として、最外郭の突出長さは、内側突出長さの１．５倍より大きく、内側突出長さの３倍より小さいことができる。
【００１６】
併せて、複数の導線それぞれの線幅は、導電性配線のそれぞれの線幅より大きくすることができる。
【００１７】
一例として、導電性配線のそれぞれの線幅に比べ複数の導線それぞれの線幅の比率は１：１５〜２５の間で有り得る。
【００１８】
併せて、複数の導線それぞれは、第２方向部分の先端から第２方向部分と交差する第１方向に延びる第１方向の部分をさらに含み、第１方向部対第２方向部分の割合は１：６〜１５の間で有り得る。
【００１９】
また、太陽電池モジュールは、複数の太陽電池の前面に位置する前面透明部材と複数の太陽電池の後面に位置する後面部材と複数の太陽電池と、前面透明部材との間、及び複数の太陽電池と後面部材との間に位置するシール材と、前面透明部材、シールと後面部材の外郭を包み込むフレームとをさらに含み、後面部材は、透明することができる。
【００２０】
また、ジャンクションボックスは、太陽電池モジュールの後面の外部上側部に位置し、太陽電池モジュールを前面から見たとき、太陽電池モジュールの上側部に位置するフレームからジャンクションボックスまでの距離は、太陽電池モジュールの下側部に位置するフレームから各セルストリングの最後の太陽電池までの距離より大きいことができる。
【００２１】
さらに、フレームは、前面透明部材の前面エッジ部分を覆う第１部分、第１部分の端から延長されて、前面透明部材、シール材と後面部材の側面を覆う第２部分、第２部分から延長されて後面部材の後面エッジ部分を覆う第３部分を含むことができる。
【００２２】
また、複数の導線のそれぞれに含まれた第１方向の部分は、後面部材を突き抜けてジャンクションボックスに備えられた端子に接続することができる。
【００２３】
また、前面透明部材はガラス材質を含み、後面部材は、ガラス材質より軽い樹脂材質を含みから形成されることができる。
【００２４】
また、各セルストリング内で複数の太陽電池は、第１方向に離隔され、複数の太陽電池が、第１方向に離隔された間隔は、第２間隔より小さいことができる。
【００２５】
また、太陽電池モジュールを前面から見たとき、太陽電池モジュールの上側部に位置するフレームからジャンクションボックスまでの距離（Ｂ１）は、内側リード線の第２方向部分と内側のセルストリングの最後の太陽電池との間の第２間隔（Ａ２）より大きいことがある。
【発明の効果】
【００２６】
本発明に係る太陽電池モジュールは、複数の導線が太陽電池と、重畳されないながら、導線からセルストリングの長さ方向と交差する方向に備えられる第２方向部分がジャンクションボックスと重畳になるようにして、モジュールの発電と無関係な面積の増加を最小化することができる。
【図面の簡単な説明】
【００２７】
【図１】（ａ）は、両面受光型太陽電池モジュールの前面の様子を示す図であり、（ｂ）は、両面受光型太陽電池モジュールの後面の様子を示す図である。
【図２】両面受光型太陽電池モジュールの分解斜視図を示す図である。
【図３】セルストリングを説明するために示す図である。
【図４】各太陽電池１００と導電性配線３００の接続構造を説明するために示す図である。
【図５】（ａ）は、両面受光型太陽電池モジュールの上部正面図をさらに詳細に示す図であり、（ｂ）は、両面受光型太陽電池モジュールの下部正面図をさらに詳細に示す図である。
【図６】外側導線（４１０、４２０）と内側導線（４３０、４４０）のそれぞれの第２方向部分と、第１方向の部分を拡大し示す図である。
【図７】図５の（ａ）からＣＳ−ＣＳラインの断面を示す図である。
【発明を実施するための形態】
【００２８】
以下では、添付した図面を参考にして本発明の実施の形態について本発明が属する技術分野において通常の知識を有する者が容易に実施できるように詳細に説明する。しかし、本発明は、さまざまな形で実現することができ、ここで説明する実施の形態に限定されない。そして図面で本発明を明確に説明するために説明と関係ない部分は省略し、明細書全体を通じて類似の部分には 類似 の符号を付与した。
【００２９】
図面で複数の層と領域を明確に表現するために厚さを拡大して示した。層、膜、領域、板などの部分が他の部分 “上に”あるとする時、これは他の部分“真上に”ある場合だけでなく、その中間に他の部分がある場合も含む。逆にどの部分が他の部分“真上に”あるとするときは、中間に他の部分がないことを意味する。また、どの部分が他の部分の上に“全体的”に形成されているとするときは、他の部分の全体面に形成されているものだけでなく、端の一部には形成されないことを意味する。
【００３０】
以下において、前面とは、直射光が入射される半導線基板の一面で有り得、後面とは、直射光が入射されないか、直射光ではなく、反射光が入射することができる半導線基板の反対面で有り得る。
【００３１】
また、どのような構成部分の厚さや幅が他の構成部分の厚さや幅と同じであることの意味は、プロセス誤差を含み、１０％の範囲内で同一であることを意味する。
【００３２】
図１〜図４は、本発明の一例に係る両面受光型太陽電池モジュールを説明するための図である。
【００３３】
ここで、図１の（ａ）は、両面受光型太陽電池モジュールの前面の様子を示すものであり、図１の（ｂ）は、両面受光型太陽電池モジュールの後面の様子を示すものであり、図２は、両面受光型太陽電池モジュールの分解斜視図を示したものであり、図３は、セルストリングを説明するための図である。
【００３４】
さらに、図４は、各太陽電池１００と導電性配線３００の接続構造を説明するための図であり、図４の（ａ）は、太陽電池１００に導電性配線３００が接続された構造を太陽電池１００の前面から見た様子であり、図４の（b）は、太陽電池１００に導電性配線３００が接続された構造を太陽電池１００の断面から見た様子である。
【００３５】
本発明に係る太陽電池モジュールの一例は、図１〜４に示すように、前面透明部材１０は、シール材（２０、３０）、後面部材４０、フレーム５０、複数の太陽電池１００及び導線（４１０、４２０、４３０、４４０）を含むことができる。
【００３６】
前面透明部材１０は、図１〜図３に示すように、複数の太陽電池１００の前面に位置し、透明なガラス材質を含むことができる。一例として、前面透明部材１０は、透過率が高く、破損防止機能に優れた強化ガラスなどで形成することができる。
【００３７】
シール材（２０、３０）は、図１〜図３に示すように、複数の太陽電池１００と、前面透明部材１０との間に位置する前面シール材２０と、複数の太陽電池１００と後面部材４０との間に位置する後面シール材３０を含むことができる。
【００３８】
このようなシール材（２０、３０）の材質は、前面透明部材１０を介して入射される光と後面部材４０を介して入射される光が複数の太陽電池１００に入射されるように透明な材質で形成されることができ、水分の浸透による腐食を防止し、太陽電池１００を衝撃から保護し、そのために衝撃を吸収することができ、透明なエヴァ（ＥＶＡ、Ethylene Vinyl Acetate）またはポリオレフィン（ＰＯＥ、Polyolefin）の内、少なくとも一つの物質で形成されることができ、製造工程の便宜のためにシート（sheet）形態で形成されることができる。
【００３９】
併せて、このようなシート状のシール材（２０、３０）は、前面透明部材１０と、太陽電池１００との間及び太陽電池１００と後面部材４０との間に配置され、ラミネート工程中、熱と圧力によって軟化と硬化することができる。
【００４０】
後面部材４０は、図１〜図３に示すように、複数の太陽電池１００の後面に位置し、モジュールの後面に光が受光されるようにするために、透明な材質が用いられることができ、モジュールの重量を低減するために、後面部材４０は、ガラス材質より軽い樹脂材質を含むシートで形成されることができる。
【００４１】
しかし、後面部材４０は、樹脂材質のシートのみに限定されるものではなく、ガラスで形成されることも可能である。
【００４２】
このような後面部材４０は、太陽電池１００の後面から湿気が浸透することを防止して、太陽電池１００を外部環境から保護することができる。このようなバック部材４０は、水分と酸素の浸透を防止する層、化学的腐食を防止する層のような多層構造を有することがある。
【００４３】
このような後面部材４０は、一例として、ＦＰ（fluoropolymer／ＰＥ（polyeaster／ ＦＰ（fluoropolymer）のような絶縁物質からなる薄いシートからなることができる。
【００４４】
フレーム５０は、図１に示すように、前面透明部材１０、シール材（２０、３０）及び後面部材４０の外郭エッジ部分を覆うように位置し、外部の衝撃から前面透明部材１０、シール材（２０、３０）及び後面部材４０を保護することができる。
【００４５】
このようなフレーム５０は、強化プラスチック、鋼又はステンレスの内、少なくとも一つの材質で形成することができる。
【００４６】
このようなフレーム５０の構造については、図７でさらに具体的に説明する。
【００４７】
複数の太陽電池１００は、前面シール材２０と後面シール材３０との間に位置し、入射された光から電力を生産することができる。
【００４８】
このような複数の太陽電池１００のそれぞれは、電圧を向上させるために、図１及び図３に示すように、複数の導電性配線３００によって第１方向（ｘ）に長く接続されてそれぞれのセルストリングを形成することができる。
【００４９】
このような複数の太陽電池１００のそれぞれは、図４（ａ）に示すように、太陽電池１００の前面に第１電極１４０位配し、太陽電池１００の後面に第１電極１４０と極性が異なる第２電極１５０が位置することができる。
【００５０】
ここで、太陽電池１００の第１、第２電極（１４０、１５０）のそれぞれは、図４の（ａ）に示すように、導電性配線３００の長さ方向と交差する第２方向（ｙ）に長くストライプの形で位置することができる。
【００５１】
併せて、複数の導電性配線３００は、第１方向（ｘ）に長く配置され、第１電極１４０または第２電極１５０はんだペーストのような導電性接着剤（図示せず）を通じて接続することができる。
【００５２】
併せて、このような複数の導電性配線３００は、銅のようなコアにはんだ物質を含むコーティング層がコアの表面にコーティングされて、第１電極１４０または第２電極１５０に接続することができる。
【００５３】
このような複数の導電性配線３００は、図３に示すように、第１方向（x）に互いに隣接した、各太陽電池１００の第１電極１４０及び第２電極１５０に接続されて、それぞれのセルストリングを形成することができる。
【００５４】
このような個々のセルストリングは、図１の（ａ）と（ｂ）に示すように、第１方向（ｘ）に長く配置されることができ、第２方向（ｙ）に離隔することができる。
【００５５】
複数の導線（４１０、４２０、４３０、４４０）のそれぞれは、図１の（a）と（b）に示すように、一端がモジュールの上部に位置する各セルストリングの最後の太陽電池１００に接続された複数の導電性配線３００に接続され、他端が後面部材４０を開けてジャンクションボックス６００に接続されることができる。
【００５６】
併せて、図１に示すように、モジュールの下部には、各セルストリングを第２方向（ｙ）に直列接続するバーシンバ３５０がさらに備えられることができる。
【００５７】
このような前面透明部材１０は、シール材（２０、３０）、後面部材４０、複数の太陽電池１００、バーシンバ３５０及び、複数の導線（４１０、４２０、４３０、４４０）は、図２に示すように順次配置され、ラミネート工程中に熱圧着されて一体化されることができ、一体化された前面透明部材１０、シール材（２０、３０）、後面部材４０、複数の太陽電池１００及び、複数の導線（４１０、４２０、４３０、４４０）は、フレーム５０によってパッケージングされることができる。
【００５８】
ジャンクションボックス６００は、複数の太陽電池１００から発生された電力を収集して外部に供給する機能を実行することができ、図１に示すように、モジュールの後面、すなわち後面部材４０の後面の内、上部に位置することができる。
【００５９】
具体的に、ジャンクションボックス６００は、モジュールの後面上部の内、複数の太陽電池１００の投影領域外の位置することができる。つまり、さらに具体的に、ジャンクションボックス６００は、モジュールの後面上部の内、フレーム５０と、太陽電池１００との間の領域に位置することができる。
【００６０】
このように、ジャンクションボックス６００をモジュールの後面上部の内、複数の太陽電池１００の投影領域外の位置させることで、モジュールの後面に光が入射されるとき、ジャンクションボックス６００によって光が遮られることを防止することができる。
【００６１】
一方、このような本発明の両面受光型太陽電池モジュールにおいて、複数の導線（４１０、４２０、４３０、４４０）は、図１の（ａ）と（ｂ）に示すように、複数の太陽電池１００の投影領域外に位置するが、フレーム５０と、太陽電池１００との間の領域に位置することができ、このような複数の導線（４１０、４２０、４３０、４４０）のうち、第２方向（ｙ）に長く伸びた部分がモジュールで発電と無関係な面積の増加を最小化するためにジャンクションボックス６００と重畳にすることができる。
【００６２】
これにより、両面受光型太陽電池モジュールの効率をさらに向上させることができる。
【００６３】
以下においては、前述した複数の導線（４１０、４２０、４３０、４４０）の具体的な構造について、図５〜図７を介して、さらに具体的に説明する。
【００６４】
図５の（ａ）は、両面受光型太陽電池モジュールの上部正面図をより詳細に示したものであり、図５の（ｂ）は、両面受光型太陽電池モジュールの下部前面の様子をさらに詳細に示したものである。
【００６５】
図６は、外側導線（４１０、４２０）と内側導線（４３０、４４０）のそれぞれの第２方向部分と、第１方向の部分を拡大して示したものである。
図７は、図５の（ａ）からＣＳ−ＣＳラインの断面を示したものである。
【００６６】
図５の（ａ）に示すように、本発明に係る複数の導線（４１０、４２０、４３０、４４０）は、外側導線（４１０、４２０）と内側導線（４３０、４４０）を含むことができる。
【００６７】
ここで、外側導線（４１０、４２０）は、各セルストリングの内、最外郭に位置した最外郭のセルストリングの最後の太陽電池１００ＥＣに接続された導電性配線３００に接続されることができ、内側導線（４３０、４４０）は、最外郭のセルストリングの内側に位置した内側セルストリングの最後の太陽電池１００ＥＣに接続された導電性配線３００に接続されることができる。
【００６８】
ここで、最外郭のセルストリングは、第２方向に離隔された複数のセルストリングの内、最外郭の縁に位置するセルストリングを意味し、内側のセルストリングは、複数のセルストリングの内、第２方向に最外郭のセルストリングの内側に位置したセルストリングを意味する。
【００６９】
このような複数の導線（４１０、４２０、４３０、４４０）は、複数の太陽電池１００の投影領域外に位置するが、フレーム５０と、太陽電池１００との間の領域に位置することができる。
【００７０】
併せて、このような複数の導線（４１０、４２０、４３０、４４０）は、複数の太陽電池１００の投影領域外、すなわちフレーム５０と、太陽電池１００との間の領域で第２方向（ｙ）に長く伸びた第２方向部分（４１０ａ、４２０ａ、４３０ａ、４４０ａ）を含み、第２方向部分（４１０ａ、４２０ａ、４３０ａ、４４０ａ）の先端から第２方向部分（４１０ａ、４２０ａ、４３０ａ、 ４４０ａ）と交差する第１方向（ｘ）に延びる第１方向部分（４１０ｂ、４２０ｂ、４３０ｂ、４４０ｂ）を含むことができる。
【００７１】
さらに具体的に、外側導線（４１０、４２０）と内側導線（４３０、４４０）のそれぞれは、第２方向（y）に第２方向（y）に長く伸びた第２方向部分（４１０ａ、４２０ａ、４３０ａ、  ４４０ａ）と第２方向部分（４１０ａ、４２０ａ、４３０ａ、４４０ａ）の先端から第１方向（x）に延びる第１方向部分（４１０ｂ、４２０ｂ、４３０ｂ、４４０ｂ）を含むことができる。
【００７２】
ここで、各導線（４１０、４２０、４３０、４４０）の第２方向部分（４１０ａ、４２０ａ、４３０ａ、４４０ａ）には、モジュールの上部に位置した各セルストリングの最後の太陽電池１００ＥＣに接続された複数の導電性配線３００に接続されることができる。
【００７３】
さらに、各導線（４１０、４２０、４３０、４４０）の第１方向部分（４１０ｂ、４２０ｂ、４３０ｂ、４４０ｂ）は、一部が後面部材４０を開けてジャンクションボックス６００の接続端子に接続することができる。
【００７４】
このような複数の導線（４１０、４２０、４３０、４４０）の内、少なくとも一つの導線（４１０、４２０、４３０、４４０）に備えられた第２方向部分（４１０ａ、４２０ａ、４３０ａ、４４０ａ）がジャンクションボックス６００と重畳することができる。
【００７５】
一例として、図５の（ａ）に示すように、外側導線（４１０、４２０）の第２方向部分（４１０ａ、４２０ａ）と内側導線（４３０、４４０）の第２方向部分（４３０ａ、４４０ａ）のすべてがジャンクションボックス６００と重畳されて位置することができる。
【００７６】
しかし、これらに必ずしも限定されるものではなく、これとことなるように外側導線（４１０、４２０）の第２方向部分（４１０ａ、４２０ａ）のみジャンクションボックス６００と重畳されて位置し、内側導線（４３０、４４０）の第２方向部分（４３０ａ、４４０ａ）は、ジャンクションボックス６００と重畳されなく、ジャンクションボックス６００と、太陽電池１００との間の領域に位置することも可能である。
【００７７】
このように、本発明は、複数の導線（４１０、４２０、４３０、４４０）の内、第２方向（ｙ）に長く伸びた第２方向部分（４１０ａ、４２０ａ、４３０ａ、４４０ａ）がジャンクションボックス６００と重畳されるよう位置することにより、モジュールで発電と無関係な面積の増加を最小化することができる。
【００７８】
このような構造を実現するために、外側導線（４１０、４２０）の第２方向部分（４１０ａ、４２０ａ）と最外郭のセルストリングの最後の太陽電池１００ＥＣとの間の第１間隔（Ａ１）は、内側導線（４３０、４４０）の第２方向部分（４３０ａ、４４０ａ）と内側のセルストリングの最後の太陽電池１００ＥＣとの間の第２間隔（Ａ２）より大きく形成されることができる。
【００７９】
さらに具体的に、第１間隔（Ａ１）と第２間隔（Ａ２）との間の差は、内側導線（４３０、４４０）の線幅（Ｗ４００）より大きく、内側導線（４３０、４４０）の線幅（Ｗ４００ ）の２倍より小さく形成されることができる。
【００８０】
ここで、一例として、内側導線（４３０、４４０）の線幅（Ｗ４００）と外側導線（４１０、４２０）の線幅（Ｗ４００）は、互いに同一ですることができる。
【００８１】
これにより、外側導線（４１０、４２０）の第２方向部分（４１０ａ、４２０ａ）と最外郭のセルストリングの最後の太陽電池１００ＥＣの間に内側導線（４３０、４４０）の第２方向部分（４３０ａ、４４０ａ）が位置することができる空間を確保することができる。
【００８２】
さらに、このために、最外郭のセルストリングの最後の太陽電池１００ＥＣに接続された導電性配線３００は、外側導線（４１０、４２０）の方向に突出され、内側のセルストリングの最後の太陽電池１００ＥＣに接続された導電性配線３００は、内側導線（４３０、４４０）の方向に突出することができる。
【００８３】
ここで、最外郭のセルストリングの最後の太陽電池１００ＥＣに接続された導電性配線３００の最外郭突出長さ（Ｋ１）は、内側のセルストリングの最後の太陽電池１００ＥＣに接続された導電性の配線３００の内側突出長さ（Ｋ２）より長く形成されることができる。
【００８４】
つまり、最外郭のセルストリングの最後の太陽電池１００ＥＣに接続された導電性配線３００は、内側のセルストリングの最後の太陽電池１００ＥＣに接続された導電性配線３００よりセルストリングの最後の太陽電池１００ＥＣから第１方向（x）にさらに突出することができる。
【００８５】
一例として、最外郭の突出長さ（Ｋ１）は、内側突出長さ（Ｋ２）の１．５倍より大きく、内側突出長さ（Ｋ２）の３倍より小さいことができる。
【００８６】
また、各セルストリング内で複数の太陽電池は、第１方向（x）に離隔され、複数の太陽電池が、第１方向（x）に離隔された間隔は、第２間隔（Ａ２）より小さいことができる。
【００８７】
さらに、本発明に係る太陽電池モジュールにおいて、各導線（４１０、４２０、４３０、４４０）には、複数の導電性配線３００が接続されることができる。一例として、各導線（４１０、４２０、４３０、４４０）には、１０個〜３０個の間の導電性配線３００が接続されることができる。
【００８８】
このような場合、導線（４１０、４２０、４３０、４４０）の線幅（Ｗ４００）が導電性配線３００の線幅Ｗ３００と同じである場合、導線（４１０、４２０、４３０、４４０）の直列抵抗が増加し、モジュールの効率が低下することがあるが、これを防止するために、複数の導線（４１０、４２０、４３０、４４０）のそれぞれの線幅（Ｗ４００）は、図５の（ａ）に示すように、導電性配線３００のそれぞれの線幅Ｗ３００より大きく形成されることができる。
【００８９】
一例として、導電性配線３００のそれぞれの線幅Ｗ３００に比べ、複数の導線（４１０、４２０、４３０、４４０）のそれぞれの線幅（Ｗ４００）の割合は、１：１５〜２５の間で形成されることができる。
【００９０】
併せて、図６に示すように、外側導線（４１０、４２０）の第２方向部分（４１０ａ、４２０ａ）の長さ（Ｌ１）は、内側導線（４３０、４４０）の第２方向部分（４３０ａ、４４０ａ）の長さ（Ｌ３）より長いことができ、外側導線（４１０、４２０）の第１方向部分（４１０ｂ、４２０ｂ）の長さ（Ｌ２）は、内側導線（４３０、４４０）の第１方向部分（４３０ｂ、４４０ｂ）長さ（Ｌ４）より短くすることができる。
【００９１】
一例として、外側導線（４１０、４２０）の第２方向部分（４１０ａ、４２０ａ）の長さ（Ｌ１）は、内側導線（４３０、４４０）の第２方向部分（４３０ａ、４４０ａ）の長さ（Ｌ３）の１．３倍〜１．７倍程度の間であることができ、外側導線（４１０、４２０）の第１方向部分（４３０ｂ、４４０ｂ）の長さ（Ｌ２）は、内側導線（４３０、４４０）の第１方向部分（４３０ｂ、４４０ｂ）の長さ（Ｌ４）の０．７５倍〜０．８５倍の間で有り得る。
【００９２】
さらに、各導線（４１０、４２０、４３０、４４０）の第１方向部分（４１０ｂ、４２０ｂ、４３０ｂ、４４０ｂ）の長さ（Ｌ２ ｏｒ Ｌ４）の各導線（４１０、４２０、４３０、４４０）の第２方向部分（４１０ａ、４２０ａ、４３０ａ、４４０ａ）の長さ（Ｌ１ ｏｒ Ｌ３）の比率は、１：６〜１５の間で形成されることができる。
【００９３】
一例として、外側導線（４１０、４２０）の第１方向部分の長さ（Ｌ２）の外側導線（４１０、４２０）の第２方向部分の長さ（Ｌ１）の割合は、１：１２〜１５の間で有り得、内側導線（４３０、４４０）の第１方向部分の長さ（Ｌ４）対内側導線（４３０、４４０）の第２方向部分の長さ（Ｌ３）の割合は、１：６〜９の間で有り得る。
【００９４】
さらに、太陽電池モジュールを前面から見たとき、太陽電池モジュールの上側部に位置するフレーム５０からジャンクションボックス６００までの距離（Ｂ１）は、内側導線（４３０、４４０）の第２方向部分（４３０ａ、４４０ａ）と内側のセルストリングの最後の太陽電池１００ＥＣとの間の第２間隔（Ａ２）より大きいことができる。
【００９５】
また、太陽電池モジュールを前面から見たとき、図５の（ａ）に示された太陽電池モジュールの上側部に位置するフレーム５０からジャンクションボックス６００までの距離（Ｂ１）は、図５の（ｂ）に示された太陽電池モジュールの下側部に位置するフレーム５０から各セルストリングの最後の太陽電池１００ＥＣまでの距離（Ｂ２）より大きいことができる。これは、モジュールの製造工程の内、ジャンクションボックス６００をモジュールの後面の上部に位置させるとき、フレーム５０との干渉を最小化するためである。
【００９６】
つまり、フレーム５０は、図７に示すように、第１部分５０ａ、第２部分５０ｂ、第３部分５０ｃ及び第４部分５０ｄを含むことができる。
【００９７】
ここで、フレーム５０の第１部分５０ａは、前面透明部材１０の前面エッジ部分を覆うように位置することができる。
【００９８】
第２部分５０ｂは、第１部分５０ａの先端から第１部分５０ａの幅方向（ｘ）と交差するモジュールの厚さ方向（ｚ）に延長されて、前面透明部材１０、シール材と後面部材４０の側面を覆うように位置することができる。
【００９９】
第３部分５０ｃは、第２部分５０ｂから第１部分５０ａの幅方向（x）と同じ方向に延長されて、後面部材４０の後面エッジ部分を覆うように位置することができる。
【０１００】
併せて、第４部分５０ｄは、第２部分５０ｂの先端から第２部分５０ｂの幅方向（x）と交差し、第１、第２部分（５０ａ、５０ｂ）と並行するようにモジュールの内側方向（x）に延長されることができる。
【０１０１】
ここで、第４部分５０ｄは、モジュールを建物の屋根や壁面の特定の位置に固定するモジュール支持部の機能を実行し、モジュールの固定のために、第４部分５０ｄの幅（Ｌ５０ｄ）は、第１部分５０ａの幅より長いことがある。
【０１０２】
このような場合、フレーム５０の第４部分５０ｄにより、ジャンクションボックス６００をモジュールの後面上部の内、フレーム５０と、太陽電池１００の間に位置するとき、モジュールの上側部に位置するフレーム５０の第１部分５０ａからジャンクションボックス６００までの距離を、太陽電池モジュールの下側部に位置するフレーム５０の第１部分５０ａから各セルストリングの最後の太陽電池１００ＥＣまでの距離より大きくすることにより、モジュールの製造工程の内、フレーム５０の第４部分５０ｄによる干渉を最小化することができる。
【０１０３】
このようなモジュール構造により、モジュールの製造工程をさらに容易にすることができる。
【０１０４】
しかし、これらに必ずしも限定されるものではなく、モジュール上側部に位置するフレーム５０の第４部分５０ｄの内、ジャンクションボックス６００と隣接する第４部分５０ｄの幅（Ｌ５０ｄ）が第１部分５０ａの幅と同じように形成された場合には、モジュールの上側部に位置するフレーム５０の第１部分５０ａからジャンクションボックス６００までの距離（Ｂ１）が、太陽電池モジュールの下側部に位置するフレーム５０の第１部分５０ａから各セルストリングの最後の太陽電池１００ＥＣまでの距離（Ｂ２）より小さくなることもある。
【０１０５】
このような場合、モジュールの面積をさらに小さくすることができ、モジュールの効率をさらに向上させることもできる。
【０１０６】
このように、本発明に係る両面受光型モジュールは、光がモジュールの前後面に入射される特徴を考慮して、導線（４１０、４２０、４３０、４４０）の第２方向部分（４１０ａ、４２０ａ、４３０ａ 、４４０ａ）がジャンクションボックス６００と重畳されるように形成することにより、モジュールの効率を最大化することができる。
【０１０７】
参考として、図７において４００は導線（４１０、４２０、４３０、４４０）を意味し、４００ａは、第２方向部分（４１０ａ、４２０ａ、４３０ａ、４４０ａ）、４００ｂは、第１方向部分（４１０ｂ、 ４２０ｂ、４３０ｂ、４４０ｂ）を意味する。
【０１０８】
図７に示すように、導線（４１０、４２０、４３０、４４０）の第１方向部分（４１０ｂ、４２０ｂ、４３０ｂ、４４０ｂ）が後面部材４０を開けてジャンクションボックス６００に接続ことができる。
【０１０９】
以上で、本発明の好適な実施の形態について詳細に説明したが、本発明の権利範囲はこれに限定されるものではなく、次の請求の範囲で定義している本発明の基本的な概念を利用した当業者の様々な変形及び改良形態また、本発明の権利範囲に属するものである。
【図１】
2018160662.tif 000003
【図２】
2018160662.tif 000004
【図３】
2018160662.tif 000005
【図４】
2018160662.tif 000006
【図５】
2018160662.tif 000007
【図６】
2018160662.tif 000008
【図７】
2018160662.tif 000009